(57)【要約】【課題】  車両の複雑な動きを発生させる。【解決手段】  娯楽用乗り物の車両用のガイドトラックシステムのガイドトラック部を第１のガイドトラック接続部から、間隔をあけて設けられた第２のガイドトラック接続部へ往復移動させる装置であって、第１のガイドトラック接続部及び第２のガイドトラック接続部はガイドトラックシステムの一部であり、装置は、車両が走行可能なガイドトラック部と、ガイドトラック部を搬送する搬送構造と、搬送構造と接続されたガイド構造であって、ガイド構造により搬送構造が、ガイドトラック部がガイド構造に沿って第１のガイドトラック接続部と第２のガイドトラック接続部との間を往復運動可能なようにガイドされるガイド構造と、ガイド構造に沿って搬送構造を移動させる駆動装置とを有し、ガイド構造は、ガイド構造に沿った移動に加えて、ガイドトラック部の他の移動を実行する。【選択図】図１
2019516502.tif 000002
【特許請求の範囲】
【請求項１】
娯楽用乗り物の車両（２２）用のガイドトラックシステム（２１）のガイドトラック部（２０）を第１のガイドトラック接続部（２４）と、前記第１のガイドトラック接続部（２４）から間隔をあけて設けられた第２のガイドトラック接続部（２６）との間を往復移動させるための装置であって、前記第１のガイドトラック接続部（２４）及び前記第２のガイドトラック接続部（２６）は前記ガイドトラックシステム（２１）の一部であり、前記装置は、
少なくも１つの車両（２２）が走行可能なガイドトラック部（２０）と、
前記ガイドトラック部（２０）を搬送する搬送構造（１８）と、
前記搬送構造（１８）と接続されたガイド構造（１６）であって、前記ガイド構造（１６）により前記搬送構造（１８）が、前記ガイドトラック部（２０）が前記ガイド構造（１６）に沿って第１のガイドトラック接続部（２４）と第２のガイドトラック接続部（２６）との間を往復運動可能なようにガイドされるガイド構造（１６）と、
前記ガイド構造（１６）に沿って前記搬送構造（１８）を移動させる駆動装置（１９）と
を有し、
前記ガイド構造（１６）は、前記ガイド構造（１６）に沿った移動に加えて、前記ガイドトラック部（２０）の他の移動を実行する手段（２７）を有する装置。
【請求項２】
前記搬送構造（１８）の前記手段は、前記ガイド構造（１６）に接続された第１の部分（２８）と、前記ガイドトラック部（２０）に接続された第２の部分（３０）とを有し、前記第２の部分（３０）が前記第１の部分（２８）に対して相対的に移動可能であることを特徴とする請求項１に記載の装置。
【請求項３】
前記装置は、前記第２の部分に対して相対的に前記第１の部分を移動させるための他の駆動装置（３２）を有することを特徴とする請求項２に記載の装置。
【請求項４】
前記装置は、前記ガイドトラック部（２０）の移動を制限する制限ユニット（３６）を有することを特徴とする請求項２又は請求項３に記載の装置。
【請求項５】
前記ガイドトラック部（２０）は、前記ガイドトラック部（２０）上に前記車両（２２）を固定する固定装置（３４）を有することを特徴とする請求項１乃至請求項４の何れか一項に記載の装置。
【請求項６】
娯楽用乗り物の車両（２２）用のガイドトラックシステム（２１）のガイドトラック部（２０）を第１のガイドトラック接続部（２４）と、前記第１のガイドトラック接続部（２４）から間隔をあけて設けられた前記第２のガイドトラック接続部（２６）との間を往復移動させるための装置であって、前記第１のガイドトラック接続部（２４）及び前記第２のガイドトラック接続部（２６）は前記ガイドトラックシステム（２１）の一部であり、特に請求項１乃至請求項５の何れか一項に記載の装置であって、前記装置は、
少なくも１つの車両（２２）が走行可能なガイドトラック部（２０）と、
前記ガイドトラック部（２０）を搬送する搬送構造（１８）と、
前記搬送構造（１８）と接続されたガイド構造（１６）であって、前記ガイド構造（１６）により前記搬送構造（１８）が、前記ガイドトラック部（２０）が前記ガイド構造（１６）に沿って第１のガイドトラック接続部（２４）と第２のガイドトラック接続部（２６）との間を往復運動可能なようにガイドされるガイド構造（１６）と、
前記ガイド構造（１６）に沿って前記搬送構造（１８）を移動させる駆動装置（１９）と
を有し、
前記車両がまだ前記ガイドトラック部（２０）上を移動しているときに前記ガイド構造（１６）に沿う移動がすでに実行されるように前記駆動装置が前記搬送構造に作用する装置。
【請求項７】
前記ガイドトラック接続部（２４、２６）が垂直方向にオフセットして配置され、前記ガイドトラック部（２０）が、前記第１のガイドトラック接続部（２４）と、前記第１のガイドトラック接続部（２４）から垂直方向にオフセットした前記第２のガイドトラック接続部（２６）との間を往復移動可能なように、前記搬送構造（１８）が前記ガイド構造（１６）によって前記ガイド構造（１６）に沿ってガイドされることを特徴とする請求項１乃至請求項６の何れか一項に記載の装置。
【請求項８】
前記ガイドトラック接続部（２４、２６）が互いに傾いて配置されることを特徴とする請求項１乃至請求項７の何れか一項に記載の装置。
【請求項９】
前記ガイド構造（１６）が垂直方向に対して傾いて配置されていることを特徴とする請求項１乃至請求項８の何れか一項に記載の装置。
【請求項１０】
前記ガイド構造（１６）が曲げられていることを特徴とする請求項１乃至請求項９の何れか一項に記載の装置。
【請求項１１】
前記ガイドトラックシステム（２１）がレールシステムとして構成されていることを特徴とする請求項１乃至請求項１０の何れか一項に記載の装置。
【請求項１２】
前記ガイド構造（１６）がタワー（１４）に設けられているか、又は前記ガイド構造（１６）自体がタワー（１４）を形成していることを特徴とする請求項１乃至請求項１１の何れか一項に記載の装置。
【請求項１３】
請求項１乃至請求項１２の何れか一項に記載の装置（１０）を有する娯楽乗り物のための車両（２２）のガイドトラックシステム（２１）。
【請求項１４】
請求項１３に記載のガイドトラックシステム（２１）を有する娯楽乗り物。
【発明の詳細な説明】
【技術分野】
【０００１】
本発明は、娯楽用乗り物の車両用ガイドトラックシステムのガイドトラック部を第１のガイドトラック接続部から第１のガイドトラック接続部から間隔をあけて設けられた第２のガイドトラック接続部へ往復移動させるための装置であって、第１および第２のガイドトラック接続部はガイドトラックシステムの一部である装置に関する。
【背景技術】
【０００２】
娯楽用乗り物は、フェアや遊園地において確固たる構成要素になっている。特に、山、谷、カーブを有し、車両がその一部を非常に高速で走行するガイドトラックシステムを含むジェットコースターが特に人気がある。
【０００３】
特許文献１は、２つの傾斜したガイドトラック接続部の間で、固定された、実質的に水平に延びる回転軸の周りに回転することができるジェットコースターのガイドトラック部を開示している。第１の位置では、ガイドトラック部は、乗客を収容する車両が第１のガイドトラック接続部分の上の回転可能なガイドトラック部に乗り上げて止まることができるように、第１のガイドトラック接続部分と整列するように位置決めされる。続いて、ガイドトラック部は、第２のガイドトラック接続部と整列するまで、軸回りに回転される。その後、車両は再び動き始め、走行を続ける。
【先行技術文献】
【特許文献】
【０００４】
【特許文献１】ＤＥ １０１ ３５ ３６５ Ａ１
【特許文献２】ＷＯ ２００５／１１３６５７ Ａ１
【特許文献３】ＪＰ ２００１ １２０ ８４２ Ａ
【発明の概要】
【発明が解決しようとする課題】
【０００５】
このような娯楽用乗り物の魅力は、とりわけ、ガイドトラックシステムを走行するときに車両がどのような驚くべき動きをすることができるかにも左右される。その結果、本発明の課題は、比較的簡単な手段で、車両が驚くべきかつ予見できない動きをすることができるように、冒頭に述べた従来の娯楽用乗り物をさらに発展させることにある。
【課題を解決するための手段】
【０００６】
この問題は請求項１、６、１２および１３に示された特徴によって解決される。有利な実施形態は従属請求項の主題である。
【０００７】
本発明の一実施形態は、娯楽用乗り物の車両用のガイドトラックシステムのガイドトラック部を第１のガイドトラック接続部から前記第１のガイドトラック接続部から間隔をあけて設けられた前記第２のガイドトラック接続部へ往復移動させるための装置であって、前記第１のガイドトラック接続部及び前記第２のガイドトラック接続部は前記ガイドトラックシステムの一部であり、前記装置は、少なくも１つの車両が走行可能なガイドトラック部と、前記ガイドトラック部を搬送する搬送構造と、前記搬送構造と接続されたガイド構造であって、前記ガイド構造により前記搬送構造が、前記ガイドトラック部が前記ガイド構造に沿って第１のガイドトラック接続部と第２のガイドトラック接続部との間を往復運動可能なようにガイドされるガイド構造と、前記ガイド構造に沿って前記搬送構造を移動させる駆動装置とを有し、前記ガイド構造は、前記ガイド構造に沿った移動に加えて、前記ガイドトラック部の他の移動を実行する手段を有する装置である。この場合おいて、ガイドトラック部は、第１のガイドトラック接続部と第２のガイドトラック接続部との間で直接移動する必要はない。むしろ、移動方向の反転が起こる前に第２のガイドトラック接続部を最初に通過させてから第２のガイドトラック接続部に到達させることができる。
さらに、第１および第２のガイドトラック接続部は、１つだけでなく、複数設けることができる。さらに、どの移動パターンを生成すべきかに応じて、それが単一のさらなる移動またはいくつかのさらなる移動を行うことができるように手段を設計することができる。本発明のこの実施形態によれば、車両は、任意の動きで、第１のガイドトラック接続部と第２のガイドトラック接続部との間の往復運動をすることができる。この間に、既に最初に説明したように、車両は、ガイドトラックシステムの第１のガイドトラック接続部を介して可動ガイドトラック部上に移動し、そこで停止し、ガイドトラック部と一緒に第２または他のガイドトラック接続部へ移動し、上述の手段により、ガイド構造に沿った移動に加えて別の移動をガイドトラック部に加えることが可能になる。
【０００８】
それ故に、特許文献１に示されているように、ガイドトラック部を車両と共にほぼ水平に延びる静止軸の周りに回転させることができるだけでなく、例えば回転運動と並進運動とを組み合わせることができる。実質的に垂直に延びる軸を中心にしてガイドトラック部と車両とを回転させることも可能である。ここで重要な点は、この目的のために使用される手段が、ガイド構造に沿った移動に加えて、さらなる移動が、すなわちガイド構造の形状とは無関係に行われるように設計されているという事実である。この点において、特許文献２とは異なる。すなわち、特許文献２では、ガイドトラック部も回転運動とともに並進運動を実行する。しかしながら、ここではガイドトラックがガイド部分の運動を規定しており、その結果並進運動は回転軸に平行に進行する。その結果、重ね合わされた動きにおける高い自由度が本発明によって利用可能になる。ガイドトラック部、ひいては車両は、２つ以上のガイドトラック接続部の間で互いに重ね合わせることができる複数の動きで動かすことができる。この娯楽乗り物の魅力は、既知のものと比較して明らかに向上している。
【０００９】
本発明の他の実施形態では、搬送構造の手段は、ガイド構造に接続された第１の部分と、ガイドトラック部に接続された第２の部分とを有し、第２の部分が第１の部分に対して相対的に移動する。この実施形態では、ガイドトラック部とその上に固定された車両がガイド構造に対して他の動きをすることが可能である。例えば、ガイドトラック部は、ガイドトラック接続部間でガイド構造に沿って並進移動しながら、１つ以上の回転軸を中心に回転することができる。特に、振り子運動またはシーソー運動を実現することができ、それによってさらに走行の楽しみが増す。
【００１０】
本発明の他の実施形態では、装置は、第２の部分に対して相対的に第１の部分を移動させるための他の駆動装置（３２）を有する。一般に、駆動装置がなくても、例えばガイドトラック部上での遅れの間の車両の慣性または乗客の重量の移動によって、ガイドトラック部の移動が可能である。しかしながら、これら２つの部分の互いに対する目的にかなった動き、例えば宙返りは、他の駆動装置で設定することができ、これは、車両の慣性または乗客の移動体重だけでは実現することができないものである。さらに、他の駆動装置は、変化および驚きの効果が維持されるように他の動きをいつも再び設定することができるように制御することができる。
【００１１】
本発明の他の実施形態では、装置は、ガイドトラック部の移動を制限する制限ユニットを有する。動きを制限することは、動きが乗客にとって極端に大きくてはいけない場合に有利である。例えば、車両とガイドトラック部とが宙返りを行うことは、ストッパまたは減衰要素によって防止することができる。特に、減衰要素を使用すると、ある動きを徐々に制動することができるので、通常は人体に高度のストレスを示す突然停止をする動きは生じない。
【００１２】
本発明の他の実施形態では、ガイドトラック部は、ガイドトラック部上に車両を固定する固定装置を有する。ガイドトラック部が第１のガイドトラック接続部と第２のガイドトラック部または他のガイドトラック部との間を移動するときに、どの移動が実行されるかに応じて、車両はガイドトラック部上で移動を開始可能であり、さらにガイドトラック部から離脱する可能がある。このような離脱はあらゆる状況下で防止されなければならず、そのため、ガイドトラック部が２つのガイドトラック部間を移動するのとは無関係に、車両をガイドトラック部上の特定の位置に固定装置によって保持することができる。これにより、娯楽乗り物の安全性が明らかに向上し、さらに宙返りなどの複雑な動きも可能になる。固定装置は、ガイドトラック部に車両を固定し、第２のガイドトラック接続部に到達したら再び車両から取り外すことができるラッチ手段および／またはくさびを備えることができる。他の可能性は、ガイドトラック部上の車両の自由な動きを制限することができるブレーキまたはストッパである。
【００１３】
本発明の他の実施形態は、娯楽用乗り物の車両用のガイドトラックシステムのガイドトラック部を第１のガイドトラック接続部から、第１のガイドトラック接続部から間隔をあけて設けられた前記第２のガイドトラック接続部へ往復移動させるための装置であって、第１のガイドトラック接続部及び第２のガイドトラック接続部はガイドトラックシステムの一部であり、装置は、少なくも１つの車両が走行可能なガイドトラック部と、ガイドトラック部を搬送する搬送構造と、搬送構造と接続されたガイド構造であって、ガイド構造により搬送構造が、ガイドトラック部がガイド構造に沿って第１のガイドトラック接続部と第２のガイドトラック接続部との間を往復運動可能なようにガイドされるガイド構造と、ガイド構造に沿って搬送構造を移動させる駆動装置とを有し、車両がまだガイドトラック部上を移動しているときにガイド構造に沿う移動がすでに実行されるように駆動装置が搬送構造に作用する。例えば特許文献３に記載されているように、２つの垂直にオフセットされたガイドトラック接続部の間で車両を昇降させるエレベータを有するジェットコースターが知られている。その際に、車両はガイドトラック部まで走行し、そこで、停止し、ガイドトラック部と共に車両が昇降される前に、ガイドトラック部に固定される。結果として、移動は車両が固定されるまで中断される。これとは対照的に、この実施形態では、ガイドトラック部は、車両が、完全にガイドトラック部上に位置し、ガイドトラック部上を移動するとすぐに、ガイド構造に沿って既にガイドされている。ガイドトラック部への車両の固定が必要である場合、固定は、キャリア構造と共にガイドトラック部がすでにガイド構造に沿って移動したときに実行することができる。その結果、車両は決して停止しないので、ある動きが他の動きとシームレスに融合し、特に動きを重ね合わせることができる。これにより、特別な走行体験を生み出すことができる。
【００１４】
本発明の他の実施形態は、少なくとも２つのガイドトラック接続部が垂直方向にオフセットして配置され、ガイドトラック部が、第１のガイドトラック接続部と、第１のガイドトラック接続部から垂直方向にオフセットした第２のガイドトラック接続部との間を往復移動可能なように、搬送構造がガイド構造によってガイド構造に沿ってガイドされる。垂直方向にオフセットされたガイドトラック接続部は、異なる高さに配置されたガイドトラック接続部を意味する。この実施形態では、例えば、より高い第１のガイドトラック接続部分から出発して、ガイドトラック部と一緒に車両が遅延やブレ―キなどで干渉されることなく重力の加速に一定時間さらされる自由落下を実現することができる。第２のガイドトラック接続部に到達する直前に遅延が導入され、ガイドトラック部が第２のガイドトラック接続部と整列するように配置され、車両は第２のガイドトラック接続部を越えて走行し続けることができる。ガイドトラック部が第２のガイドトラック接続部を通過し、第２のガイドトラック接続部の下に配置されてブレーキがかけられるまで、自由落下を継続することもできる。ガイドトラック部が制動された後、ガイドトラック部は、駆動装置によって第２のガイドトラック接続部の高さまで持ち上げられ、それによって車両は走行を続けることができる。これにより、非常に魅力的な乗り心地を楽しむことができる。もちろん、２つのガイドトラック接続部を設けるだけでなく、いくつかを設けることができ、例えば、より長い自由落下およびより短い自由落下を実現することができる。
【００１５】
本発明の他の実施形態は、ガイドトラック接続部が互いに傾いて配置される。これにより、乗り心地をさらに向上させることができる。例えば、移動方向から見て第１のガイドトラック接続部分が上向きに傾斜している場合、搭乗者が水平方向の場合よりも、さらなる走行を厳しいと評価する。
【００１６】
本発明の他の実施形態は、ガイド構造が垂直方向に対して傾いて配置されている。厳密な意味で自由落下を実現することができるようにするために、ガイドトラックは重力の作用方向に従わなければならない、すなわちそれは垂直又は鉛直に延びなければならない。ガイド構造が垂直方向に対して傾斜している場合、自由落下は実現できないが、スキージャンプをするときと同様の飛行をシミュレートすることができる。
【００１７】
これに関連して、ガイド構造が湾曲または弓形であり、直線状でない実施形態がある。これにより、例えば、第１のガイドトラック接続部から出発して、垂直方向に対して大きく傾斜しているが、その後は垂直方向により近づくようにして、スキージャンプ台からのジャンプのようにガイド構造の傾斜を変えることが可能である。結果として、乗り心地をさらに向上させる他の運動パターンは、湾曲したまたはアーチ形のガイド構造を用いて実現することができる。
【００１８】
本発明の他の実施形態は、ガイドトラックシステムがレールシステムとして構成されている。ガイドトラックシステムはまた、例えば、桶またはパイプを含むことができ、これは、娯楽乗り物が滝のある湖の風景を含む場合に特に有利である。この場合、車両はボートとして形成され、桶やパイプを通って流れる水によって駆動される。しかしながら、ここでは、車両の速度および車両が行うことができる動きに比較的狭い制限が設定されている。しかしながら、レールシステムが使用される場合には、車両が高速に到達し、また宙返りを含む複数の動きをすることができるような方法でガイドされることができる。
【００１９】
本発明の他の実施形態は、ガイド構造がタワーに設けられているか、又はガイド構造自体がタワーを形成する。ジェットコースターを既存の建物に統合して、それらが適切なタワーを含む限りにおいて建物がガイド構造の一部を形成するようにすることは全く普通である。その結果、別個のタワーを利用可能にする必要がなくなり、その結果、娯楽乗り物のコストを削減することができる。しかしながら、代わりに、ガイド構造はそれ自体タワーを形成することができ、それは娯楽乗り物が一定期間様々なフェアで設置されるいわゆるフライング構造であるときに特に適切である。支持構造は、ここで容易にかつ確実に組み立てられかつ再び分解されることができるように設計することができる。これにより、娯楽乗り物の組み立てと分解に必要な時間を短く抑えることができる。
【００２０】
本発明の他の実施形態は、上述した何れかの提案された装置を有する娯楽乗り物のための車両のガイドトラックシステムに関する。提案された車両を用いて達成され得る技術的効果および利点は、提案された駆動装置について議論されたものに対応する。要するに、比較的単純な技術的手段で、ガイドトラック部およびその上に位置する車両の複雑な動きさえも発生させることが可能であり、その結果、娯楽乗り物の魅力を是認できる費用で増加させることができる。
【００２１】
さらに、本発明の一実施形態は、先に提示した実施形態によるガイドトラックシステムを用いた娯楽乗り物に関する。利点および技術的効果は、ガイドトラックシステムおよび装置に関して提示されたものに対応する。
【発明の効果】
【００２２】
本発明では、比較的簡単な手段で、車両が驚くべきかつ予見できない動きをすることができるという効果を有する。
【図面の簡単な説明】
【００２３】
【図１】本発明の第１の実施形態の装置が第１の位置にある場合を示す図である。
【図２】図１の実施形態が第２の位置にある場合を示す図である。
【図３】図１の実施形態が第２の位置にある場合を示す図である。
【図４】本発明による装置の他の実施形態が第１の位置にある場合を示す図である。
【発明を実施するための形態】
【００２４】
本発明の例示的な実施形態は、原理的に説明するための添付の図面を参照して以下に詳細に説明される。
【００２５】
図１は、本発明による装置１０の例示的な実施形態を原理的に示す図である。装置１０は、骨格タワー１４として示される実施形態に於いて詳述され、ガイドレール１６を備えるガイド構造１２を備える。ガイドレール１６は、水平に対して角度αだけ（したがってまた、垂直に対して９０-αだけ）傾斜しており、図示の例では約７５°である。もちろん、ガイドレール１６を実質的に垂直に配置することも可能である。
【００２６】
搬送構造１８は、ガイドレール１６に沿って駆動装置１９によって移動させることができる。駆動装置は、図示されていないモータ、アクチュエータ、バネ式ブレーキ、牽引ケーブルなどを含むことができる。さらに、搬送構造１８は、ガイドトラックシステム２１のガイドトラック部２０に接続されており、ガイドトラックシステム２１上で１つまたは複数の車両２２を移動させることができる。ガイドトラックシステム２１は、例えば、車両２２が所望のガイドトラック上に保持されるレールシステムのように設計することができる。図示の例では、ガイドトラックシステム２１は第１のガイドトラック接続部２４と第２のガイドトラック接続部２６とを含み、第１のガイドトラック接続部２４はガイド構造１２又はタワー１４の上端に固定され、第２のガイドトラック接続部２６は、詳しく説明しない方法により支持されている。ジャケット付き直立部（図示せず）を使用して第２のガイドトラック接続部２６を保管することができる。他のガイドトラック接続部を設けることができる。第１および第２のガイドトラック接続部２４、２６は、高さの差ΔＨだけ垂直方向で互いにオフセットして配置されている（図２参照）。搬送構造１８は、ガイドトラック部２０がガイドレール１６に沿った移動に加えて別の移動をすることができる手段２７を含む。図示の例では、手段２７は第１の部分２８と第２の部分３０とを含み、搬送構造１８は、第１の部分２８によりガイド構造１２に、第２の部分３０によりガイドトラック部２０に固定される。第１の部分２８および第２の部分３０は、互いに対して移動可能に支持され、例えば、ここでは示されていないボールジョイントを使用することができる。運動を可能にするために、装置１０は別の駆動装置３２を含む。さらに、装置１０は固定装置３４を含み、それを用いて車両２２をガイドトラック部２０の所望の位置に固定することができる。さらに、装置１０は、搬送構造１８の第１の部分２８の移動を搬送構造１８の第２の部分３０に対して制限することができる制限ユニット３６を備えている。さらに、搬送構造１８の第２の部分３０は、第１の部分２８を第２の部分３０の周りに回転させることをより制御可能とするために、回転軸Ｄ１、Ｄ２に対してガイドトラック部２０とは反対側に配置されたカウンタウェイト４０を含むことができる。
【００２７】
本発明による装置１０は、次のように動作する。図１において、搬送構造１８は、ガイドトラック部２０が第１のガイドトラック接続部２４と整列するように、ガイド構造１２に関して駆動装置１９によって配置される。その結果、ガイドトラックシステム２１上に位置する１つまたは複数の車両２２は、第１のガイドトラック接続部２４からガイドトラック部２０上に移動することができる。第１のガイドトラック接続部２４から延びるガイドトラックシステム２１は、ガイドトラック部２０の端部で中断され、それにより、車両２２がガイドトラック部２０を越えて移動する場合、車両２２はガイドトラックシステム２１を離れる。これを防ぐために、車両２２がガイドトラック部２０上の所望の位置に到達したときに衝突する制限ストッパ４２を延ばすことができる。車両２２は、所望の位置で停止することができるようにするために、図示されていないブレーキ装置を備えることができる。
【００２８】
ガイドトラック部２０上の所望の位置に車両２２を固定するために、例えばガイドトラック部２０から延びるくさび４４が車両の収容部に導入されるように、固定装置３４が作動される。続いてまたは固定中に、搬送構造１８は、駆動装置１９の対応する作動によってガイド構造１２、又は、ガイドレール１６に沿って、この場合、ほぼ垂直に下方に移動させられる。駆動装置１９の作動は、ガイド構造１２に沿って移動させるために（ほぼ自由落下）、搬送構造１８が重力に対して制動されずに放置される場合も含み得る。
【００２９】
さらに、他方の駆動装置１９が作動されて、搬送構造１８の第２の部分３０が第１の部分２８に対して移動、特に回転する。その結果、ガイド構造１２に沿った直線運動は、第１および／または第２の回転軸Ｄ１、Ｄ２の周りの回転運動によって重ね合わされる。ガイド構造１２に沿った移動、および第１および／または第２の回転軸Ｄ１、Ｄ２の周りの移動は、ガイドトラックシステム２１に沿った車両２２の走行が続くまで続けられる。この目的のために、搬送構造１８は、ガイドトラック部２０が第２のガイドトラック接続部２６と整列するように駆動装置３２および他の駆動装置１９によって位置決めされる（図２参照）。図３に示されるように、ガイドトラック部は、その間に第２のガイドトラック接続部２６の下方に配置することもできる。くさび４４は、固定装置３４の適切な作動によって収納され、それによりガイドトラック部２０への車両２２の固定が解除され、制限ストッパ４２が収納される。そして、車両は、ガイドトラックシステム２１に沿って移動し続けることができる。
【００３０】
図４は、本発明による装置１０の別の実施形態を示しており、これは、第２のガイドトラック接続部２６が第１のガイドトラック接続部２４に対して傾斜している点で図１〜３に示される実施形態とは異なる。第１のガイドトラック接続部２４は水平に延びているのに対して、第２のガイドトラック接続部２６は水平に対して角度βだけ傾斜しており、これは例えば３０°である。角度βは所望に応じて選択することができ、さらには９０°を超えることも可能である。
【符号の説明】
【００３１】
１０…装置
１２…ガイド構造
１４…タワー
１６…ガイドレール
１８…搬送構造
１９…駆動装置
２０…ガイドトラック部
２１…ガイドトラックシステム
２２…車両
２４…第１のガイドトラック接続部
２６…第２のガイドトラック接続部
２７…手段
２８…第１の部分
３０…第２の部分
３２…その他の駆動装置
３４…固定装置
３６…制限ユニット
３８…ストッパ
４０…カウンタウェイト
４４…くさび
ΔＨ…高さの差
Ｄ１…第１の回転軸
Ｄ２…第２の回転軸
【図１】
2019516502.tif 000003
【図２】
2019516502.tif 000004
【図３】
2019516502.tif 000005
【図４】
2019516502.tif 000006
【国際調査報告】
2019516502.tif 000007
2019516502.tif 000008
2019516502.tif 000009
2019516502.tif 000010
2019516502.tif 000011
2019516502.tif 000012